(57)【特許請求の範囲】
【請求項１】
信号を処理するシステムであって、
前記信号を受信する手段と、
受信信号が当該システムによって再生される速度を表す当該システムの動作モードに応じて前記受信信号を処理する手段と、
を有し、
当該システムが、前記受信信号が前記受信信号に対応する入力速度よりも速い速度で当該システムによって再生されることを表す第１の動作モードにあるとき、前記受信信号は、速度変換手段を用いて速度変換され、次に当該システムの記憶手段に記憶され、
当該システムが、前記受信信号が前記受信信号に対応する入力速度以下の速度で当該システムによって再生されることを表す第２の動作モードにあるとき、前記受信信号は、当該システムの前記記憶手段に記憶され、再生前に前記速度変換手段を用いて速度変換される、
システム。
【請求項２】
前記受信信号は音声信号である、請求項１記載のシステム。
【請求項３】
前記受信信号は映像信号である、請求項１記載のシステム。
【請求項４】
前記受信信号の再生は、前記記憶手段から前記速度変換された受信信号を読み出し、前記速度変換された受信信号の出力を可能にさせることによって、前記第１の動作モードで有効にされる、請求項１記載のシステム。
【請求項５】
前記第１の動作モードにおいて、前記受信信号は、指定された速度割合に応じて前記受信信号を圧縮することにより速度変換される、請求項４記載のシステム。
【請求項６】
前記受信信号の再生は、前記記憶手段から前記受信信号を読み出し、前記受信信号を速度変換し、前記速度変換された受信信号の出力を可能にさせることによって、前記第２の動作モードで有効にされる、請求項１記載のシステム。
【請求項７】
前記第２の動作モードにおいて、前記受信信号は、指定された速度割合に応じて前記受信信号を伸張することにより速度変換される、請求項６記載のシステム。
【請求項８】
信号を処理するシステムあって、
前記信号を受信する回路と、
受信信号が当該システムによって再生される速度を表す当該システムの動作モードに応じて前記受信信号を処理する回路と、
を有し、
当該システムが、前記受信信号が前記受信信号に対応する入力速度よりも速い速度で当該システムによって再生されることを表す第１の動作モードにあるとき、前記受信信号は、速度変換器を用いて速度変換され、次に当該システムのメモリに記憶され、
当該システムが、前記受信信号が前記受信信号に対応した入力速度以下の速度で当該システムによって再生されることを表す第２の動作モードにあるとき、前記受信信号は、当該システムの前記メモリに記憶され、再生前に前記速度変換器を用いて速度変換される、
システム。
【請求項９】
前記受信信号は音声信号である、請求項８記載のシステム。
【請求項１０】
前記受信信号は映像信号である、請求項８記載のシステム。
【請求項１１】
前記受信信号の再生は、前記メモリから前記速度変換された受信信号を読み出し、前記速度変換された受信信号の出力を可能にさせることによって、前記第１の動作モードで有効にされる、請求項８記載のシステム。
【請求項１２】
前記第１の動作モードにおいて、前記受信信号は、指定された速度割合に応じて前記受信信号を圧縮することにより速度変換される、請求項１１記載のシステム。
【請求項１３】
前記受信信号の再生は、前記メモリから前記受信信号を読み出し、前記受信信号を速度変換し、前記速度変換された受信信号の出力を可能にさせることによって、前記第２の動作モードで有効にされる、請求項８記載のシステム。
【請求項１４】
前記第２の動作モードにおいて、前記受信信号は、指定された速度割合に応じて前記受信信号を伸張することにより速度変換される、請求項１３記載のシステム。
【請求項１５】
信号再生装置における信号を処理する方法であって、
前記信号を処理する手順と、
受信信号が前記信号再生装置によって再生される速度を表す前記信号再生装置の動作モードに応じて前記受信信号を処理する手順と、
を含み、
前記信号再生装置が、前記受信信号が前記受信信号に対応した入力速度よりも速い速度で前記信号再生装置によって再生されることを表す第１の動作モードにあるとき、前記受信信号は、速度変換装置を用いて速度変換され、次に前記信号再生装置のメモリに記憶され、
前記信号再生装置が、前記受信信号が前記受信信号に対応した入力速度以下の速度で前記信号再生装置によって再生されることを表す第２の動作モードにあるとき、前記受信信号は、前記信号再生装置のメモリに記憶され、再生前に前記速度変換装置を用いて速度変換される、
方法。
【請求項１６】
前記受信信号は音声信号である、請求項１５記載の方法。
【請求項１７】
前記受信信号は映像信号である、請求項１５記載の方法。
【請求項１８】
前記メモリから前記速度変換された受信信号を読み出し、前記速度変換された受信信号の出力を可能にさせることによって、前記第１の動作モードで前記受信信号の再生を有効にする手順を更に含む、請求項１５記載の方法。
【請求項１９】
前記第１の動作モードにおいて、前記受信信号は、指定された速度割合に応じて前記受信信号を圧縮することにより速度変換される、請求項１８記載の方法。
【請求項２０】
前記メモリから前記受信信号を読み出し、前記受信信号を速度変換し、前記速度変換された受信信号の出力を可能にさせることによって、前記第２の動作モードで前記受信信号の再生を有効にする手順を更に含む、請求項１５記載の方法。
【請求項２１】
前記第２の動作モードにおいて、前記受信信号は、指定された速度割合に応じて前記受信信号を伸張することにより速度変換される、請求項２０記載の方法。
【発明の詳細な説明】
【０００１】
〔背景〕
〔発明の分野〕
本発明は、一般的にデータ圧縮及び／又はデータ伸張に係り、特に、可変速度再生機能を備えた音声及び／又は映像システムのようなデータ圧縮及び／又はデータ伸張を実行するシステムに好適であるメモリアドレス指定方法に関する。
【０００２】
〔背景情報〕
現在、家庭用電化製品のような多数の市販されている電気装置は、可変速度データ再生機能を備えていない。しかし、将来、これらの装置がこのような機能を備えていることは当たり前になっていることが予想される。可変速度データ再生機能は、ユーザに音声データ及び／又は映像データのようなデータが再生される速度を制御する能力を与える。即ち、ユーザは、映像及び／又は音声セグメントが再生される速度を増加若しくは減少させるために入力を与える。例えば、ユーザは、再生が行われる速度に関してボタンを操作するか、又は、メニュー選択を行う。
【０００３】
このような可変速度データ再生機能を具備する装置において、信号圧縮又は信号伸張は、データが再生される速度の割合を増加又は減少させるため使用される。これらの装置は、データの記憶のためダイナミック・ランダムアクセスメモリ（ＤＲＡＭ）のようなメモリ装置を必要とする。可変速度データ再生機能を具備した装置のコストは、特に、使用されるメモリのサイズに依存する。したがって、これらの装置のコストを最低限に抑えるため、これらの装置に対するメモリ必要量をできる限り少ない状態で維持しなければならない。本発明は、この問題、及び、その他の問題を解決する。
【０００４】
〔概要〕
本発明の一局面によれば、信号を処理するシステムは、信号を受信する手段と、受信信号がシステムによって再生されるべき速度を表現するシステムの動作モードに応じて受信信号を処理する手段と、を具備し、上記システムが第１の動作モードにあるとき、受信信号は、速度変換され、システムの記憶手段に記憶され、上記システムが第２の動作モードにあるとき、受信信号は、速度変換されることなく、上記システムの上記記憶手段に記憶される。
【０００５】
本発明の別の局面によれば、信号再生装置における信号を処理する方法は、信号を受信する手順と、受信信号が信号再生装置によって再生されるべき速度を表現する信号再生装置の動作モードに応じて受信信号を処理する手順と、を含み、信号再生装置が第１の動作モードにあるとき、受信信号は、速度変換され、信号再生装置のメモリに記憶され、信号再生装置が第２の動作モードにあるとき、受信信号は、速度変換されることなく、信号再生装置のメモリに記憶される。
【０００６】
〔好ましい実施例の説明〕
添付図面に記載された典型例は、本発明の好ましい実施例を例示するものであるが、このような典型例は、いかなる方法によっても本発明の範囲を制限するものとして構築されるべきではない。
【０００７】
本願は、可変速度データ再生機能を備えた音声及び／又は映像システムのようなデータ圧縮及び／又はデータ伸張を実行するシステムに適したメモリアドレス指定システム及び方法を開示する。典型的な実施例によれば、信号再生装置において映像信号又は音声信号のような信号を処理する方法は、信号を受信することによって始まる。受信信号は、信号再生装置によって受信信号が再生される速度を表現する信号再生装置の動作モードに依存して処理される。信号再生装置が第１の動作モードにあるとき、受信信号は、速度変換され、信号再生装置のメモリに記憶される。信号再生装置が第２の動作モードにあるとき、受信信号は、速度変換されることなく、信号再生装置のメモリに記憶される。
【０００８】
一実施例によれば、第１の動作モードは、受信信号が受信信号に対応した入力速度よりも速い速度で信号再生装置によって再生されることを表す。第２の動作モードは、受信信号が受信信号に対応した入力速度以下の速度で信号処理装置によって再生されることを表す。
【０００９】
次に、図面、特に、典型的なオーディオ装置の構成図が示された図１を参照する。図１には、デジタル電話応答装置（留守番電話装置）のようなオーディオ装置１０、又は、その他の類似した装置の関連部分が示されている。図１において、制御回路１１は、少なくとも部分的にユーザ制御入力に基づいて、オーディオ装置１０の動作を制御する。アナログ・デジタル（Ａ／Ｄ）変換器１２は、アナログフォーマットでオーディオ入力を受信し、制御回路１１の制御下で受信オーディオ入力信号をデジタルフォーマットへ変換する。内部メモリ１３は、アナログ・デジタル（Ａ／Ｄ）変換器１２から受信したデジタルオーディオ信号を、制御回路１１の制御下で記憶する。デジタル・アナログ（Ｄ／Ａ）変換器１４は、内部メモリ１３からデジタル音声信号を受信し、受信デジタル音声信号をアナログフォーマットに変換し、制御回路１１の制御下で音声出力信号をアナログフォーマットで生じる。図１に示されるように、オーディオ装置１０が再生モードにあるとき、内部メモリ１３及びデジタル・アナログ（Ｄ／Ａ）変換器１４は、動作可能状態であり、内部メモリ１３は、デジタル音声信号を、変換及び出力のためデジタル・アナログ（Ｄ／Ａ）変換器１４へ転送する。図１のオーディオ装置１０は、元の入力速度に一致する一定速度で音声出力信号を生じ、オーディオ速度変換機能を実施しない。
【００１０】
図２には、別の典型的なオーディオ装置の構成図が示されている。特に、図２は、デジタル電話応答装置又は同様の装置のようなオーディオ装置２０のオーディオ速度変換機能を提供するための関連した部分を示している。図２において、制御回路２１は、少なくとも一つにはユーザ制御入力に基づいてオーディオ装置２０の動作を制御する。アナログ・デジタル（Ａ／Ｄ）変換器２２は、音声入力信号をアナログフォーマットで受信し、制御回路２１の制御下で受信音声入力信号をデジタルフォーマットへ変換する。オーディオ速度変換器２３は、アナログ・デジタル（Ａ／Ｄ）変換器２２からデジタル音声信号を受信し、制御回路２１の制御に基づいてオーディオ速度変換処理を実行する。特に、制御回路２１は、速度変換処理のための速度割合（ｍ）を表す制御信号をオーディオ速度変換器２３へ供給する。速度割合（ｍ）はユーザ制御入力によって指定され得る。記憶容量（Ｓ）を備えた内部メモリ２４は、制御回路２１の制御の下で、オーディオ速度変換器２３から受信したデジタル音声信号を保持する。デジタル・アナログ（Ｄ／Ａ）変換器２５は、内部メモリ２４からデジタル音声信号を受信し、受信デジタル音声信号をアナログフォーマットへ変換し、制御回路２１の制御の下で、オーディオ出力信号を供給する。図２に示されるように、オーディオ装置２０がプレイバック（即ち、再生）モードにあるとき、内部メモリ２４及びデジタル・アナログ（Ｄ／Ａ）変換器２５は動作可能状態であり、内部メモリ２４は、デジタル音声信号を、変換及び出力のためデジタル・アナログ（Ｄ／Ａ）変換器２５へ転送する。
【００１１】
上述の通り、図２のオーディオ装置２０は、ユーザ制御入力によって指定され得る速度割合（ｍ）に応じて、オーディオ速度変換機能を実現する。例示及び説明の目的のため、図２では、ｍ＝３／２である場合、即ち、音声出力信号の速度が音声入力信号の速度よりも１．５倍だけ高速である場合を想定する。この場合、アナログ・デジタル（Ａ／Ｄ）変換器２２によって出力されたデジタル音声信号は、圧縮後に現れるデジタルデータ量が圧縮前のデジタルデータ量の僅かに３分の２になるように、オーディオ速度変換器２３によって圧縮される。即ち、圧縮前のデータ量よりも少ない圧縮後に存在する僅かな量のデータは、速度割合（ｍ）に反比例する。オーディオ速度変換器２３から出力された圧縮データは、内部メモリ２４に保持される。速度割合（ｍ）がｍ＞１であるとき、圧縮によってデータ整理が行われるので、音声データは保存する前に圧縮する方が有利である。この結果として、記憶容量が節約される。特に、図２におけるｍ＝３／２である場合、内部メモリ２４は、圧縮の効果として、元のサイズ（Ｓ）よりも１．５倍だけ大きくなるように見える。再生時に、先に圧縮されたデータが内部メモリ２４から読み出され、デジタル・アナログ（Ｄ／Ａ）変換器２５によってアナログフォーマットに変換される。
【００１２】
更なる例示及び説明のため、次に、図２において、ｍ＝１／２である場合、即ち、音声出力信号の速度が音声入力信号の速度の半分に過ぎない場合を考える。この場合、アナログ・デジタル（Ａ／Ｄ）変換器２２によって出力されたデジタル音声信号は、伸張後に存在するデジタルデータの量が伸張前のデジタルデータの量の２倍になるように、オーディオ速度変換器２３によって拡張される。オーディオ速度変換器２３から出力された伸張データは、内部メモリ２４に保持される。図２では、伸張データを内部メモリ２４に保存することは、記憶容量を過剰に使用するので望ましくない。特に、図２においてｍ＝１／２である場合、伸張データが保持されることにより、内部メモリ２４は、元のサイズ（Ｓ）の僅か半分に見える。したがって、図２の典型的なオーディオ装置２０は、ｍ＞１となるようなオーディオ再生速度に最も適している。
【００１３】
図３を参照するに、更に別の典型的なオーディオ装置が示されている。特に、図３は、デジタル電話応答装置又は同様の装置のような別のオーディオ装置３０のオーディオ速度変換機能を提供するための関連した部分を示している。図３において、制御回路３１は、少なくとも一つにはユーザ制御入力に基づいてオーディオ装置３０の動作を制御する。アナログ・デジタル（Ａ／Ｄ）変換器３２は、音声入力信号をアナログフォーマットで受信し、制御回路３１の制御下で受信音声入力信号をデジタルフォーマットへ変換する。記憶容量（Ｓ）を備えた内部メモリ３３は、制御回路３１の制御に従って、アナログ・デジタル（Ａ／Ｄ）変換器３２から受信したデジタル音声信号を保持する。オーディオ速度変換器３４は、内部メモリ３３からデジタル音声信号を受信し、制御回路３１の制御に基づいてオーディオ速度変換処理を実行する。特に、制御回路３１は、速度変換処理のための速度割合（ｍ）を表す制御信号をオーディオ速度変換器３４へ供給する。速度割合（ｍ）はユーザ制御入力によって指定され得る。デジタル・アナログ（Ｄ／Ａ）変換器３５は、オーディオ速度変換器３４からデジタル音声信号を受信し、受信デジタル音声信号をアナログフォーマットへ変換し、制御回路３１の制御の下で、オーディオ出力信号を供給する。図３に示されるように、オーディオ装置３０がプレイバック（即ち、再生）モードにあるとき、内部メモリ３３、オーディオ速度変換器３４及びデジタル・アナログ（Ｄ／Ａ）変換器３５は動作可能状態である。特に、再生中に、内部メモリ３３は、速度割合（ｍ）による速度変換のためデジタル音声信号をオーディオ速度変換器３４へ転送する。次に、オーディオ速度変換器３４は、デジタル音声信号をアナログフォーマットに変換してアナログ音声出力信号として出力するため、デジタル音声信号をデジタル・アナログ（Ｄ／Ａ）変換器３５へ供給する。
【００１４】
上述の通り、図３のオーディオ装置３０は、ユーザ制御入力によって指定され得る速度割合（ｍ）に応じて、オーディオ速度変換機能を実現する。例示及び説明の目的のため、図３では、ｍ＝３／２である場合、即ち、音声出力信号の速度が音声入力信号の速度よりも１．５倍だけ高速である場合を想定する。この場合、アナログ・デジタル（Ａ／Ｄ）変換器３２によって出力されたデジタル音声信号は、圧縮されることなく、内部メモリ３３に保持される。再生時に、非圧縮（圧縮されていない）デジタル音声信号は、内部メモリ３３から読み出され、オーディオ速度変換器３４へ入力される。オーディオ速度変換器３４は、圧縮後に現れるデジタルデータ量が圧縮前のデジタルデータ量の僅かに３分の２になるように、入力デジタル信号を圧縮する。即ち、圧縮前のデータ量よりも少ない圧縮後に存在する僅かな量のデータは、速度割合（ｍ）に反比例する。オーディオ速度変換器３４から出力された圧縮データは、アナログフォーマットに変換しアナログ音声出力信号として出力するため、デジタル・アナログ（Ｄ／Ａ）変換器３５へ供給される。速度割合（ｍ）がｍ＞１であるとき、非圧縮データを内部メモリ３３に保存することは望ましくない。なぜならば、後でオーディオ速度変換器３４によって削除されるであろう一部の不必要なデータが記憶されることになるからである。特に、図３においてｍ＝３／２である場合、内部メモリ３４は、元のサイズ（Ｓ）の僅か３分の２であるように見える。
【００１５】
更なる例示及び説明のため、次に、図３において、ｍ＝１／２である場合、即ち、音声出力信号の速度が音声入力信号の速度の僅かに半分である場合を考える。この場合、アナログ・デジタル（Ａ／Ｄ）変換器３２によって出力されたデジタル音声信号は、伸張することなく、内部メモリ３３に保持される。再生時に、伸張されていない（非伸張）デジタル音声信号は、内部メモリ３３から読み出され、伸張のためオーディオ速度変換器３４へ供給される。特に、オーディオ速度変換器３４は、伸張後に現れるデジタルデータの量が伸張前のデジタルデータの量の２倍になるように、デジタル音声信号を伸張する。図３では、非伸張データを内部メモリ２４に保存することは有利である。特に、図３においてｍ＝１／２である場合、内部メモリ３３は、元のサイズ（Ｓ）の２倍であるかのように見える。したがって、図３の典型的なオーディオ装置３０は、ｍ＜１の場合のオーディオ再生速度に最も適している。
【００１６】
図２及び３についての上記の記述から、メモリロケーション（記憶域）が、データ圧縮及び伸張の行われる可変速度機能を備えたシステムにおいて重要な役割を果たすことが明らかである。特に、ｍ＞１である状況では、データは記憶する前に圧縮されるべきである。逆に、ｍ＜１である状況では、データは伸張前に記憶されるべきである。この結果として、記憶リソースが有利に使用される。
【００１７】
図４には、本発明の原理に従って構築されたオーディオ装置の構成図が示されている。特に、図４は、デジタル電話応答装置又は同様の装置のようなオーディオ装置４０のオーディオ速度変換機能を提供するための関連した部分を示している。図４において、制御回路４１は、少なくとも一つにはユーザ制御入力に基づいてオーディオ装置４０の動作を制御する。アナログ・デジタル（Ａ／Ｄ）変換器４２は、音声入力信号をアナログフォーマットで受信し、制御回路４１の制御下で受信音声入力信号をデジタルフォーマットへ変換する。第１のデジタルスイッチ４３（即ち、スイッチ１）は、アナログ・デジタル（Ａ／Ｄ）変換器４２からデジタル音声信号を受信し、ユーザ制御入力によって指定され得る速度割合（ｍ）に応じて受信デジタル音声信号を信号路に供給する。図４において、第１のデジタルスイッチ４３は、ｍ＞１である場合、第１の信号路に受信デジタル音声信号を送り、ｍ≦１である場合、第２の信号路に受信デジタル音声信号を送る。第１のデジタルスイッチ４３の位置は、制御回路４１によって制御される。
【００１８】
ｍ＞１である状況では、制御回路４１は、第１のデジタルスイッチ４３に、第１の信号路を開設させる。この場合、オーディオ速度変換器４４は、第１のデジタルスイッチ４３を介して、アナログ・デジタル（Ａ／Ｄ）変換器４２からデジタル音声信号を受信する。或いは、ｍ≦１である状況では、制御回路４１は、第１のデジタルスイッチ４３に、第２の信号路を開設させる。この場合、記憶容量（Ｓ）を備えた内部メモリ４５は、第１のデジタルスイッチ４３を介して、アナログ・デジタル（Ａ／Ｄ）変換器４２からデジタル音声信号を受信する。第２のデジタルスイッチ４６（即ち、スイッチ２）は、制御回路４１の制御下で、オーディオ速度変換器４４又は内部メモリ４５からの出力を受信する。特に、第２のデジタルスイッチ４６は、速度割合（ｍ）に従って動作する。デジタル・アナログ（Ｄ／Ａ）変換器４７は、制御回路４１の制御に基づいて、オーディオ速度変換器４４又は内部メモリ４５から第２のスイッチ４６を介してデジタル音声信号を受信し、受信デジタル音声信号をアナログフォーマットへ変換し、アナログ音声出力信号を生ずる。
【００１９】
ｍ＞１である状況では、制御回路４１は、第２のデジタルスイッチ４６に、内部メモリ４５の出力をデジタル・アナログ（Ｄ／Ａ）変換器４７の入力へ接続させる。或いは、ｍ＜１である状況では、制御回路４１は、第２のデジタルスイッチ４６に、オーディオ速度変換器４４の出力をデジタル・アナログ（Ｄ／Ａ）変換器４７の入力へ接続させる。ｍ＝１である状況（即ち、通常動作）では、制御回路４１は、第２のデジタルスイッチ４６に、内部メモリ４５の出力をデジタル・アナログ（Ｄ／Ａ）変換器４７の入力へ接続させ、これにより、オーディオ速度変換器４４を迂回する。
【００２０】
例示及び説明の目的のため、図４において、ｍ＝２である場合、即ち、音声出力信号の速度が音声入力信号の速度の２倍である場合を考える。この場合、アナログ・デジタル（Ａ／Ｄ）変換器４２によって出力されたデジタル音声信号は、第１のデジタルスイッチ４３を介して、オーディオ速度変換器４４へ入力される。オーディオ速度変換器４４は、速度割合（ｍ）に従って入力デジタル音声信号を圧縮し、圧縮デジタル音声信号を記憶のため内部メモリ４５へ転送する。再生時に、圧縮デジタル音声信号は、内部メモリ４５から読み出され、制御回路４１の制御に基づいて、第２のデジタルスイッチ４６を介してデジタル・アナログ（Ｄ／Ａ）変換器４７へ転送される。デジタル・アナログ（Ｄ／Ａ）変換器４７は、圧縮デジタル音声信号をアナログフォーマットに変換し、制御回路４１の制御下で、アナログ音声出力信号を準備する。図４において、第１のデジタルスイッチ４３及び第２のデジタルスイッチ４６内の破線、並びに、オーディオ速度変換器４４と内部メモリ４５との間の破線は、ｍ＝２であるときに使用される信号路の一部分を表現する。
【００２１】
更なる例示及び説明のため、次に、図４において、ｍ＝１／２である場合、即ち、音声出力信号の速度が音声入力信号の速度の半分に過ぎない場合を考える。この場合、アナログ・デジタル（Ａ／Ｄ）変換器４２によって出力されたデジタル音声信号は、保存するため、第１のデジタルスイッチ４３を介して内部メモリ４５へ入力される。再生時に、保存されたデジタル音声信号が内部メモリ４５から読み出され、速度割合（ｍ）に応じた伸張のため、オーディオ速度変換器４４へ転送される。伸張デジタル音声信号は、オーディオ速度変換器４４から出力され、制御回路４１の制御下で、第２のスイッチ４６を介してデジタル・アナログ（Ｄ／Ａ）変換器４７へ転送される。デジタル・アナログ（Ｄ／Ａ）変換器４７は、伸張デジタル音声信号をアナログフォーマットへ変換し、制御回路４１の制御に基づいて、アナログ音声出力信号を準備する。図４において、第１のデジタルスイッチ４３及び第２のデジタルスイッチ４６内の実線、並びに、オーディオ速度変換器４４と内部メモリ４５との間の実線は、ｍ＝１／２であるときに使用される信号路の一部分を表現する。
【００２２】
図５には、本発明の原理に従って構築されたオーディオ／ビデオ装置の構成図が示されている。特に、図５は、デジタル映像応答装置、ビデオテープレコーダ（ＶＴＲ）又は同様の装置のようなオーディオ／ビデオ装置５０のオーディオ速度変換機能及び／又はビデオ速度変換機能を提供するための関連した部分を示している。図５のオーディオ／ビデオ装置５０は、映像信号を組み込むように図４に関して説明したメモリアドレス指定技術を拡張する。
【００２３】
図５において、ユーザ・インタフェースを包含する制御回路５１は、ユーザが音声信号及び／又は映像信号の再生のため望ましい速度割合（ｍ）を指定できるようにする。図５に示されるように、オーディオ／ビデオ装置５０の一方側は音声信号を処理し、もう一方側は映像信号を処理する。装置５０のオーディオの側面に関して説明すると、アナログ・デジタル（Ａ／Ｄ）変換器５２は、音声入力信号をアナログフォーマットで受信し、制御回路５１の制御下で受信音声入力信号をデジタルフォーマットへ変換する。第１のデジタルスイッチ５３（即ち、スイッチ１）は、アナログ・デジタル（Ａ／Ｄ）変換器５２からデジタル音声信号を受信し、ユーザ・インタフェース５１を用いてユーザによって指定され得る速度割合（ｍ）に応じて受信デジタル音声信号を信号路に供給する。図５において、第１のデジタルスイッチ５３は、ｍ＞１である場合、第１の信号路に受信デジタル音声信号を送り、ｍ≦１である場合、第２の信号路に受信デジタル音声信号を送る。第１のデジタルスイッチ５３の位置は、制御回路５１によって制御される。
【００２４】
ｍ＞１である状況では、制御回路５１は、第１のデジタルスイッチ５３に、第１の信号路を開設させる。この場合、オーディオ速度変換器５４は、第１のデジタルスイッチ５３を介して、アナログ・デジタル（Ａ／Ｄ）変換器５２からデジタル音声信号を受信する。或いは、ｍ≦１である状況では、制御回路５１は、第１のデジタルスイッチ５３に、第２の信号路を開設させる。この場合、記憶容量（Ｓ）を備えた記憶装置５５は、第１のデジタルスイッチ５３を介して、アナログ・デジタル（Ａ／Ｄ）変換器５２からデジタル音声信号を受信する。第２のデジタルスイッチ５６（即ち、スイッチ２）は、制御回路５１の制御下で、オーディオ速度変換器５４又は記憶装置５５からの出力を受信する。特に、第２のデジタルスイッチ５６は、速度割合（ｍ）に従って動作する。デジタル・アナログ（Ｄ／Ａ）変換器５７は、制御回路５１の制御に基づいて、オーディオ速度変換器５４又は記憶装置５５から第２のスイッチ５６を介してデジタル音声信号を受信し、受信デジタル音声信号をアナログフォーマットへ変換し、アナログ音声出力信号を生ずる。
【００２５】
ｍ＞１である状況では、制御回路５１は、第２のデジタルスイッチ５６に、記憶装置５５の出力をデジタル・アナログ（Ｄ／Ａ）変換器５７の入力へ接続させる。或いは、ｍ＜１である状況では、制御回路５１は、第２のデジタルスイッチ５６に、オーディオ速度変換器５４の出力をデジタル・アナログ（Ｄ／Ａ）変換器５７の入力へ接続させる。ｍ＝１である状況（即ち、通常動作）では、制御回路５１は、第２のデジタルスイッチ５６に、記憶装置５５の出力をデジタル・アナログ（Ｄ／Ａ）変換器５７の入力へ接続させ、これにより、オーディオ速度変換器５４を迂回する。
【００２６】
例示及び説明の目的のため、図５において、ｍ＝２である場合、即ち、音声出力信号の速度が音声入力信号の速度の２倍である場合を考える。この場合、アナログ・デジタル（Ａ／Ｄ）変換器５２によって出力されたデジタル音声信号は、第１のデジタルスイッチ５３を介して、オーディオ速度変換器５４へ入力される。オーディオ速度変換器５４は、速度割合（ｍ）に従って入力デジタル音声信号を圧縮し、圧縮デジタル音声信号を記憶のため記憶装置５５へ転送する。再生時に、圧縮デジタル音声信号は、制御回路５１の制御に基づいて、記憶装置５５から読み出され、第２のデジタルスイッチ５６を介してデジタル・アナログ（Ｄ／Ａ）変換器５７へ転送される。デジタル・アナログ（Ｄ／Ａ）変換器５７は、制御回路５１の制御下で、圧縮デジタル音声信号をアナログフォーマットに変換し、アナログ音声出力信号を準備する。図５において、第１のデジタルスイッチ５３及び第２のデジタルスイッチ５６内の破線、並びに、オーディオ速度変換器５４と記憶装置５５との間の破線は、ｍ＝２であるときに使用される信号路の一部分を表現する。
【００２７】
更なる例示及び説明のため、次に、図５において、ｍ＝１／２である場合、即ち、音声出力信号の速度が音声入力信号の速度の半分に過ぎない場合を考える。この場合、アナログ・デジタル（Ａ／Ｄ）変換器５２によって出力されたデジタル音声信号は、保存のため、第１のデジタルスイッチ５３を介して記憶装置５５へ入力される。再生時に、保存されたデジタル音声信号が記憶装置５５から読み出され、速度割合（ｍ）に応じた伸張のため、オーディオ速度変換器５４へ転送される。伸張デジタル音声信号は、制御回路５１の制御下で、オーディオ速度変換器５４から出力され、第２のスイッチ５６を介してデジタル・アナログ（Ｄ／Ａ）変換器５７へ転送される。デジタル・アナログ（Ｄ／Ａ）変換器５７は、伸張デジタル音声信号をアナログフォーマットへ変換し、制御回路５１の制御に基づいて、アナログ音声出力信号を準備する。図５において、第１のデジタルスイッチ５３及び第２のデジタルスイッチ５６内の実線、並びに、オーディオ速度変換器５４と記憶装置５５との間の実線は、ｍ＝１／２であるときに使用される信号路の一部分を表現する。
【００２８】
装置５０のビデオの側面に関して説明すると、アナログ・デジタル（Ａ／Ｄ）変換器６２は、映像入力信号をアナログフォーマットで受信し、制御回路５１の制御下で受信映像入力信号をデジタルフォーマットへ変換する。第３のデジタルスイッチ６３（即ち、スイッチ３）は、アナログ・デジタル（Ａ／Ｄ）変換器６２からデジタル映像信号を受信し、ユーザ・インタフェース５１を用いてユーザによって指定され得る速度割合（ｍ）に応じて受信デジタル映像信号を信号路に供給する。図５において、第３のデジタルスイッチ６３は、ｍ＞１である場合、第１の信号路に受信デジタル映像信号を送り、ｍ≦１である場合、第２の信号路に受信デジタル映像信号を送る。第３のデジタルスイッチ６３の位置は、制御回路５１によって制御される。
【００２９】
ｍ＞１である状況では、制御回路５１は、第３のデジタルスイッチ６３に、第１の信号路を開設させる。この場合、ビデオ速度変換器６４は、第３のデジタルスイッチ６３を介して、アナログ・デジタル（Ａ／Ｄ）変換器６２からデジタル映像信号を受信する。或いは、ｍ≦１である状況では、制御回路５１は、第３のデジタルスイッチ６３に、第２の信号路を開設させる。この場合、記憶容量（Ｓ）を備えた記憶装置６５は、第３のデジタルスイッチ６３を介して、アナログ・デジタル（Ａ／Ｄ）変換器６２からデジタル映像信号を受信する。第４のデジタルスイッチ６６（即ち、スイッチ４）は、制御回路５１の制御下で、ビデオ速度変換器６４又は記憶装置６５からの出力を受信する。特に、第４のデジタルスイッチ６６は、速度割合（ｍ）に従って動作する。デジタル・アナログ（Ｄ／Ａ）変換器６７は、制御回路５１の制御に基づいて、ビデオ速度変換器６４又は記憶装置６５から第２のスイッチ６６を介してデジタル映像信号を受信し、受信デジタル映像信号をアナログフォーマットへ変換し、アナログ映像出力信号を生ずる。
【００３０】
ｍ＞１である状況では、制御回路５１は、第４のデジタルスイッチ６６に、記憶装置６５の出力をデジタル・アナログ（Ｄ／Ａ）変換器６７の入力へ接続させる。或いは、ｍ＜１である状況では、制御回路５１は、第４のデジタルスイッチ６６に、ビデオ速度変換器６４の出力をデジタル・アナログ（Ｄ／Ａ）変換器６７の入力へ接続させる。ｍ＝１である状況（即ち、通常動作）では、制御回路５１は、第４のデジタルスイッチ６６に、記憶装置６５の出力をデジタル・アナログ（Ｄ／Ａ）変換器６７の入力へ接続させ、これにより、ビデオ速度変換器６４を迂回する。
【００３１】
例示及び説明の目的のため、図５において、ｍ＝２である場合、即ち、映像出力信号の速度が映像入力信号の速度の２倍である場合を考える。この場合、アナログ・デジタル（Ａ／Ｄ）変換器６２によって出力されたデジタル映像信号は、第３のデジタルスイッチ６３を介して、ビデオ速度変換器６４へ入力される。ビデオ速度変換器６４は、速度割合（ｍ）に従って入力デジタル映像信号を圧縮し、圧縮デジタル映像信号を記憶のため記憶装置６５へ転送する。再生時に、圧縮デジタル映像信号は、制御回路５１の制御に基づいて、記憶装置６５から読み出され、第４のデジタルスイッチ６６を介してデジタル・アナログ（Ｄ／Ａ）変換器６７へ転送される。デジタル・アナログ（Ｄ／Ａ）変換器６７は、制御回路５１の制御下で、圧縮デジタル映像信号をアナログフォーマットに変換し、アナログ映像出力信号を準備する。図５において、第３のデジタルスイッチ６３及び第４のデジタルスイッチ６６内の破線、並びに、ビデオ速度変換器６４と記憶装置６５との間の破線は、ｍ＝２であるときに使用される信号路の一部分を表現する。
【００３２】
更なる例示及び説明のため、次に、図５において、ｍ＝１／２である場合、即ち、映像出力信号の速度が映像入力信号の速度の半分に過ぎない場合を考える。この場合、アナログ・デジタル（Ａ／Ｄ）変換器６２によって出力されたデジタル映像信号は、保存のため、第３のデジタルスイッチ６３を介して記憶装置６５へ入力される。再生時に、保存されたデジタル映像信号が記憶装置６５から読み出され、速度割合（ｍ）に応じた伸張のため、ビデオ速度変換器６４へ転送される。伸張デジタル映像信号は、制御回路５１の制御下で、ビデオ速度変換器６４から出力され、第２のスイッチ６６を介してデジタル・アナログ（Ｄ／Ａ）変換器６７へ転送される。デジタル・アナログ（Ｄ／Ａ）変換器６７は、伸張デジタル映像信号をアナログフォーマットへ変換し、制御回路５１の制御に基づいて、アナログ映像出力信号を準備する。図５において、第３のデジタルスイッチ６３及び第４のデジタルスイッチ６６内の実線、並びに、ビデオ速度変換器６４と記憶装置６５との間の実線は、ｍ＝１／２であるときに使用される信号路の一部分を表現する。
【００３３】
上述の通り、本発明は、可変速度データ再生機能を備えたシステムにおいて記憶容量を節約する効果を奏する。本発明は、音声機能及び／又は映像機能を備えた電話応答装置のような装置に関して説明されているが、本発明は、表示装置若しくはスピーカーの有無に係らず様々な他のシステムに適用可能であり、上記の「オーディオ装置」、「ビデオ装置」、或いは、「オーディオ／ビデオ装置」は、多種多様な装置及びシステムを包含することが意図され、多種多様な装置及びシステムには、例えば、以下の例には限定されないが、表示装置を具備したテレビジョン受像機若しくはモニタのような装置や、電話応答装置、セットトップボックス、ビデオテープレコーダ（ＶＴＲ）、デジタル多目的ディスク（ＤＶＤ）プレーヤ、ビデオゲームボックス、或いは、パーソナルビデオレコーダ（ＰＶＲ）のように表示装置及び／又はスピーカーを具備しなくてもよいシステム又は装置が含まれる。
【００３４】
本発明は、好ましい一構成を備えているものとして説明されているが、本発明は、開示された事項の精神及び範囲内で変更を加えることが可能である。したがって、本願は、本発明の一般的な原理を使用する本発明のあらゆる変形、用途、又は、適応例を対象とすることが意図されている。更に、本願は、開示された事項から外れていても、本発明が属する技術分野において公知若しくは慣行されている事項を対象とすることが意図されて、これらの事項は、特許請求の範囲に記載された内容に含まれる。
【図面の簡単な説明】
【図１】典型的なオーディオ装置の構成図である。
【図２】別の典型的なオーディオ装置の構成図である。
【図３】更に別の典型的なオーディオ装置の構成図である。
【図４】本発明の原理に従って構築されたオーディオ装置の構成図である。
【図５】本発明の原理に従って構築されたオーディオ／ビデオ装置の構成図である。
【図１】
0005336026.tif 000002
【図２】
0005336026.tif 000003
【図３】
0005336026.tif 000004
【図４】
0005336026.tif 000005
【図５】
0005336026.tif 000006